(57)【要約】【課題】検出手段、発音手段の組込みが容易で家庭用空調ダクトに適する能動騒音制御用ダクトを提供する。【解決手段】本能動騒音制御用ダクトは、通気ダクトを接続する継手ダクトを有し、この継手ダクトには検出手段Ａおよび発音手段の少なくとも一方が配設され、少なくとも継手ダクトの一端は通気ダクトに接続されている。【選択図】  図１
2005016821.tif 000002
【特許請求の範囲】
【請求項１】
音波検出手段と、発音手段と、これらからの信号を演算処理する信号処理手段によって通気ダクトの所定位置の騒音を制御する能動騒音制御用ダクトにおいて、この能動騒音制御用ダクトは、通気ダクトを接続する継手ダクトを有し、この継手ダクトには検出手段および発音手段の少なくとも一方が配設され、少なくとも前記継手ダクトの一端は前記通気ダクトに接続されていることを特徴とする能動騒音制御用ダクト。
【請求項２】
請求項１に記載の能動騒音制御用ダクトにおいて、前記検出手段あるいは前記発音手段の一方は、継手ダクトに直付けされ、他方は取付部材を介して継手ダクトに取付けられることを特徴とする能動騒音制御用ダクト。
【請求項３】
請求項２に記載の能動騒音制御用ダクトにおいて、前記取付部材は、その長さが調整できることを特徴とする能動騒音制御用ダクト。
【請求項４】
請求項１ないし３のいずれか１項に記載の能動騒音制御用ダクトにおいて、前記能動騒音制御用ダクトは、ダクト式空気調和装置に用いられることを特徴とする能動騒音制御用ダクト。
【発明の詳細な説明】
【０００１】
【発明の属する技術分野】
本発明は能動騒音制御用ダクトに係わり、特に検出手段、発音手段の組込みを容易にした能動騒音制御用ダクトに関する。
【０００２】
【従来の技術】
従来、大型のダクト式空気調和装置における騒音低減手段として、能動騒音制御用ダクトが実用化されている。
【０００３】
図８に示すように、従来の能動騒音制御用ダクト２１は、空調ダクト２２に配置された騒音検出マイク２３の信号と下流側に配置された出力検出マイク２４の信号の差などを信号処理手段２５で演算し、これらの間に設置された消音用スピーカ２６から演算結果後の音を出し、最終的に出力検出マイク２４で所望の騒音値になるように制御するものである。大型ダクトの場合には、空調ダクト２２は一般的に剛壁ダクトであり、直接空調ダクト２２に孔を明け両マイク２３、２４や消音用スピーカ２６を取付けることが可能であった。
【０００４】
図９に示すように、一方、家庭用能動騒音制御用ダクト３１は、薄くて柔らかい高分子材質からなり、かつ、屈曲可能な可撓性ある家庭用空調ダクト３２を用いるのが一般的である。また、家庭用空調ダクト３２は、天井裏、床下などに這わせることが多く、このような家庭用空調ダクト３２に騒音検出マイク３３、出力検出マイク３４や消音用スピーカ３６を取付けるための施工（孔明け作業、取付支持作業等）は極めて困難であった。
【０００５】
なお、特許文献１には、空気調和装置における騒音低減手段に能動騒音制御装置を用いるものが提案されているが、この特許文献１に記載のものは、剛壁ダクトにマイク及び消音スピーカを取付けるものであり、天井裏、床下などに這わせることが多い家庭用空調ダクトには適さない。
【０００６】
【特許文献１】
特開平１０−１１０７０号公報（段落番号［００１６］〜［００１８］、図１）
【０００７】
【発明が解決しようとする課題】
本発明は上述した事情を考慮してなされたもので、検出手段、発音手段の組込みが容易で家庭用空調ダクトに適する能動騒音制御用ダクトを提供することを目的とする。
【０００８】
【課題を解決するための手段】
上記目的を達成するため、本発明の１つの態様によれば、音波検出手段と、発音手段と、これらからの信号を演算処理する信号処理手段によって通気ダクトの所定位置の騒音を制御する能動騒音制御用ダクトにおいて、この能動騒音制御用ダクトは、通気ダクトを接続する継手ダクトを有し、この継手ダクトには検出手段および発音手段の少なくとも一方が配設され、少なくとも前記継手ダクトの一端は前記通気ダクトに接続されていることを特徴とする能動騒音制御用ダクトが提供される。これにより、検出手段、発音手段の組込みが容易で家庭用空調ダクトに適する能動騒音制御用ダクトが実現される。
【０００９】
また、他の好適な一例では、前記検出手段あるいは前記発音手段の一方は、継手ダクトに直付けされ、他方は取付部材を介して継手ダクトに取付けられる。これにより、継手ダクトの削減が可能となり、施工の手間が省ける。
【００１０】
また、他の好適な一例では、前記取付部材は、その長さが調整できる。これにより、取付部材が施工時の邪魔にならず、また、出力検出マイクの位置調整が容易になる。
【００１１】
また、他の好適な一例では、前記能動騒音制御用ダクトは、ダクト式空気調和置に用いられる。
【００１２】
【発明の実施の形態】
以下、本発明に係わる能動騒音制御用ダクトの第１実施形態について添付図面を参照して説明する。
【００１３】
図１は本発明に係わる能動騒音制御用ダクトの使用状態を示す概念図である。
【００１４】
図１に示すように、本発明に係わる能動騒音制御用ダクトは、例えばダクト式空気調和装置の家庭用空調ダクト１であり、一端が空気調和機２に連通され、他端は被空調室３に連通されている。また、家庭用空調ダクト１は、空気調和機２と被空調室３を連通する通気ダクト例えば空調ダクト４と、この空調ダクト４の例えば中間部に設けられた３個の継手ダクト５ａ、５ｂ、５ｃからなっている。
【００１５】
また、音源（騒音）側に配置された継手ダクト５ａには、騒音音波検出手段としての騒音検出マイク６が直付けされており、また、継手ダクト５ａの風下側には継手ダクト５ｂが配置されており、この継手ダクト５ｂには発音手段としての消音用スピーカ７が直付けされており、さらに、継手ダクト５ｂの風下側には継手ダクト５ｃが配置されており、この継手ダクト５ｃには、出力音波検出手段としての出力検出マイク８が直付けされている。
【００１６】
図２に示すように、継手ダクトと空調ダクトの接続は、全て同様の構造を用いて行われており、継手ダクト５ｂを例にとって説明すると、十分な強度を有する材質、形状からなる例えば合成樹脂製の継手ダクト５ｂに、所定の位置で可撓性ある空調ダクト４を外嵌させ、押えバンド９により締付けて行われる。
【００１７】
なお、符号１０は、信号処理手段であり、騒音検出マイク６で検知した音源音波が空調ダクト４内を消音用スピーカ７に対応した位置に到達した際に、音源音波と逆位相で同音圧の音波を発生するように消音用スピーカ７に制御信号を供給するように構成されており、消音用スピーカ７より出力された音波は音源音波と干渉し合い、音源音波の音圧を大幅に減少させるようになっている。また、出力検出マイク８は干渉後の出力音波を検知して、その検出信号を消音誤差信号として信号処理手段１０へフィードバックし、消音誤差信号がより小さくなるように消音用スピーカ７に対する制御信号の調整が行われるようになっている。
【００１８】
家庭用空調ダクト１は上記構造を有するので、これを組立てるには、予め３個の継手ダクト５ａ、５ｂ、５ｃに各々騒音検出マイク６、消音用スピーカ７、出力検出マイク８を取付けておき、これらに能動騒音制御用ダクト１の設置現場で空調ダクト４を外嵌させ、押えバンド９により締付ける。
【００１９】
本実施形態によれば、可撓性を有し、天井裏、床下などに這わせることが多い家庭用空調ダクトにも、容易に検出手段、発音手段の組込みが行える。
【００２０】
次に本発明に係わる能動騒音制御用ダクトの第２実施形態及び第３実施形態について説明する。
【００２１】
上記第１実施形態は、音波検出手段、発音手段が継手ダクトに直付されるのに対して、本第２実施形態及び本第３実施形態は、検出手段または発音手段が取付部材を介して継手ダクトに取付けられる
例えば、図３に示すように、本第２実施形態の能動騒音制御用ダクト１Ａは、出力検出マイク８Ａが、空調ダクト４Ａ内に延びる取付部材１１Ａを介して継手ダクト５ｂＡに取付けられている。
【００２２】
また、図４に示すように、本第３実施形態の能動騒音制御用ダクト１Ｂは、騒音検出マイク６Ｂが空調ダクト４Ｂ内に延びる取付部材１２Ｂを介して、また、出力検出マイク８Ｂが取付部材１１Ｂを介して継手ダクト５ｂＢに取付けられている。
【００２３】
これにより、継手ダクトの削減が可能となり、施工の手間が省ける。他の構成は図２に示す能動騒音制御用ダクトと異ならないので、同一符号を付して説明は省略する。
【００２４】
また、本発明に係わる能動騒音制御用ダクトの第４実施形態について説明する。
【００２５】
上記第２実施形態は、検出手段または発音手段を取付ける取付部材の長さが一定であるのに対して、本第４実施形態は取付部材の長さが調整可能である。
【００２６】
例えば、図５及び図６に示すように、本第４実施形態の能動騒音制御用ダクト１Ｃは、出力検出マイク８Ｃが、スチール巻尺状で長さの調整が可能な取付部材１１Ｃを介して、継手ダクト５ｂＣに取付けられている。これにより、取付部材が施工時の邪魔にならず、また、出力検出マイクの位置調整が容易になる。
【００２７】
なお、図６に示すように、長さを表示する数値やマークを付しておくのが好ましい。これにより、出力検出マイク８Ｃと継手ダクト５ｂＣ間の距離を容易に知ることができ、出力検出マイク８Ｃの位置調整に便利であり、作業効率が向上する。
【００２８】
また、図７に示すように、取付部材１１Ｄが、振出式釣竿状であっても、同様の効果が期待できる。
【００２９】
なお、上記各実施形態では、本発明に係わる能動騒音制御用ダクトを家庭用空調ダクトに用いた例で説明したが、大型空調用空調ダクトあるいは、換気用ダクト、排気用ダクトなど騒音源に接続されたあらゆる種類のダクトに適用しても、同様の効果が得られる。
【００３０】
【発明の効果】
本発明に係わる能動騒音制御用ダクトによれば、検出手段、発音手段の組込みが容易で家庭用空調ダクトに適する能動騒音制御用ダクトを提供することができる。
【図面の簡単な説明】
【図１】本発明に係わる能動騒音制御用ダクトの第１実施形態の使用状態を示す概念図。
【図２】本発明に係わる能動騒音制御用ダクトの継手ダクトを拡大して示す断面図。
【図３】本発明に係わる能動騒音制御用ダクトの第２実施形態の継手ダクトを拡大して示す断面図。
【図４】本発明に係わる能動騒音制御用ダクトの第３実施形態の断面図。
【図５】本発明に係わる能動騒音制御用ダクトの第４実施形態の断面図。
【図６】図５の能動騒音制御用ダクトに用いられる取付部材の斜視図。
【図７】図５の能動騒音制御用ダクトに用いられる取付部材の変形例の斜視図。
【図８】従来の能動騒音制御用ダクトの概念図。
【図９】従来の能動騒音制御用ダクトの概念図。
【符号の説明】
１…家庭用空調ダクト、４…空調ダクト、５ａ、５ｂ、５ｃ…継手ダクト、６…騒音検出マイク、７…消音用スピーカ、８…出力検出マイク。
【図１】
2005016821.tif 000003
【図２】
2005016821.tif 000004
【図３】
2005016821.tif 000005
【図４】
2005016821.tif 000006
【図５】
2005016821.tif 000007
【図６】
2005016821.tif 000008
【図７】
2005016821.tif 000009
【図８】
2005016821.tif 000010
【図９】
2005016821.tif 000011